(57)【要約】【課題】教室でビデオプロジェクターによりビデオを放映したりスライド映写機を使用するような時は、黒板の上端側からスクリーンを下ろして直ちにそのスクリーンに映写することができる黒板装置を提供する。【解決手段】黒板２の上端部に巻上式映写スクリーン４を黒板長手方向に移動可能に設置してなる。【選択図】図１
2006192610.tif 000002
【特許請求の範囲】
【請求項１】
黒板の上端部に巻上式映写スクリーンを黒板長手方向に移動可能に設置してなることを特徴とする黒板装置。
【請求項２】
前記巻上式映写スクリーンは、シート状スクリーン本体をロール状に巻き取った巻取軸をスクリーンケース内に軸支してなるもので、このスクリーンケースを、黒板の上端部に沿って設けたガイドレールに移動可能に支持してなることを特徴とする請求項１に記載の黒板装置。
【請求項３】
前記黒板を固定枠体に昇降駆動手段を介して昇降可能に保持してなることを特徴とする請求項１又は２に記載の黒板装置。
【請求項４】
前記昇降駆動手段は、前記固定枠体の中央部に第１ドラムと第２ドラムとを同軸上に一体回転可能に設け、第１ドラムの外周に一対の第１索体の一端部を止着して互いに同方向に巻き付けるようにし、他端部は固定枠体の左右両端部に設けたガイドプーリを介して黒板の下端部に固定し、第２ドラムの外周には第２索体の一端部を止着して第１索体とは逆方向に巻き付けるようにし、他端部は固定枠体に設けたリニアアクチュエータの出力軸に連結し、この出力軸の作動によって黒板の昇降及び任意高さ位置での停止を行わせるようにしてなることを特徴とする請求項３に記載の黒板装置。
【請求項５】
前記昇降駆動手段は、前記固定枠体の中央部に円板状第１ドラムとカム状第２ドラムとブレーキドラムとを取り付け、前記第１ドラムの外周面に一対の第１索体をガイドプーリを経由して下方に延びてその一端部を黒板の下端部に固定し、第２ドラムの外周面には第２索体の一端部を止着して第１索体とは逆方向に巻き付けるようにし、他端部はバランススプリング機構に連結され、前記ブレーキドラムにはその外周面にブレーキばねに付勢されるブレーキバンドが取り付けられ、該ブレーキバンドにはブレーキばねの付勢力に抗してブレーキを解除するブレーキ解除レバーが取り付けられてなることを特徴とする請求項３に記載の黒板装置。
【発明の詳細な説明】
【技術分野】
【０００１】
本発明は、黒板に巻上式映写スクリーンを設置した黒板装置に関するものである。
【背景技術】
【０００２】
学校の教室でビデオプロジェクターによりビデオを拡大放映したり、スライド映写機を使用するような場合、通常、教室には映写用スクリーンが設備されていないため、教室の正面に設置されている黒板に映写スクリーンをフック等で引っ掛けて取り付けるか、あるいは黒板に模造紙等の白紙を貼り付けて、その白紙をスクリーン代用としているが、映写スクリーンをその都度黒板上の見やすい位置にいちいち引っ掛けて取り付けるようにするのでは非常に手間がかかり、また模造紙等の白紙では映像の写りが悪くなる、といった種々の問題があった。
【発明の開示】
【発明が解決しようとする課題】
【０００３】
本発明は、上記のような課題に鑑み、学校の教室でビデオプロジェクターによりビデオを放映したりスライド映写機を使用するような時には、黒板の上端側からスクリーンを下ろして直ちにそのスクリーンに映写することができるようにした黒板装置を提供することを目的とする。
【課題を解決するための手段】
【０００４】
上記課題を解決するための手段を、後述する実施形態の参照符号を付して説明すると、請求項１に係る発明の黒板装置は、黒板２の上端部に巻上式映写スクリーン４を黒板長手方向に移動可能に設置してなることを特徴とする。
【０００５】
請求項２は、請求項１に記載の昇降式黒板装置において、前記巻上式映写スクリーン４は、シート状スクリーン本体４０をロール状に巻き取った巻取軸４１をスクリーンケース４２内に軸支してなるもので、このスクリーンケース４２を、黒板２の上端部に沿って設けたガイドレール４３に移動可能に支持してなることを特徴とする。
【０００６】
請求項３は、請求項１又は２に記載の黒板装置において、前記黒板２を固定枠体１に昇降駆動手段３を介して昇降可能に保持してなることを特徴とする。
【０００７】
請求項４は、請求項３に記載の黒板装置において、前記昇降駆動手段３は、前記固定枠体１の中央部に第１ドラム９と第２ドラム１０とを同軸上に一体回転可能に設け、第１ドラム９の外周に一対の第１索体１１，１２の一端部１１ａ，１２ａを止着して互いに同方向に巻き付けるようにし、他端部１１ｂ，１２ｂは固定枠体１の左右両端部に設けたガイドプーリ１３，１４を介して黒板２の下端部に固定し、第２ドラム１０の外周には第２索体１５の一端部１５ａを止着して第１索体１１，１２とは逆方向に巻き付けるようにし、他端部１５ｂは固定枠体１に設けたリニアアクチュエータ１６の出力軸１７に連結し、この出力軸１７の作動によって黒板２の昇降及び任意高さ位置での停止を行わせるようにしてなることを特徴とする。
【０００８】
請求項５は、請求項３に記載の黒板装置において、前記昇降駆動手段３は、前記固定枠体１の中央部に円板状第１ドラム９とカム状第２ドラム１０とブレーキドラム６０とを取り付け、前記第１ドラム９の外周面に一対の第１索体１１，１２をガイドプーリ１３，１４を経由して下方に延びてその一端部を黒板２の下端部に固定し、第２ドラム１０の外周面には第２索体１５の一端部を止着して第１索体１１，１２とは逆方向に巻き付けるようにし、他端部はバランススプリング機構６３に連結され、前記ブレーキドラム６０にはその外周面にブレーキばね６７に付勢されるブレーキバンド６６が取り付けられ、該ブレーキバンド６６にはブレーキばね６７の付勢力に抗してブレーキを解除するブレーキ解除レバー６８が取り付けられてなることを特徴とする。
【発明の効果】
【０００９】
上記解決手段による発明の効果を、後述する実施形態の参照符号を付して説明すると、請求項１に係る発明の黒板装置によれば、映写スクリーン４を使用しない時は、スクリーン本体４０を巻き上げておけば、その状態で通常の黒板２の使用ができ、そして学校の教室等でビデオプロジェクターによりビデオを拡大放映したり、スライド映写機を使用する時には、映写スクリーン４を黒板２の長手方向に移動させることによって、例えば教室の生徒全員が最も見やすい位置にセットすることができる。
【００１０】
請求項２に係る発明の黒板装置によれば、映写スクリーン４を黒板２の長手方向に簡単容易に移動させることができる共に、スクリーン本体４０の上げ下げを容易に行うことができる。
【００１１】
請求項３に係る発明の黒板装置によれば、昇降駆動手段３を操作して黒板２を昇降させることによって、映写スクリーン４の高さを所望の位置に設定することができる。
【００１２】
請求項４に係る発明の黒板装置によれば、昇降駆動手段３によるリニアアクチュエータ１６の出力軸１７の作動によって黒板１の昇降及び任意高さ位置での停止を行わせるようにしたから、リニアアクチュエータ１６の電動スイッチを操作することが出来れば、操作する人の身長、手の力、手の位置に関係なく、任意の位置で自由に黒板１の昇降及び停止操作を行うことができ、従って車椅子を使用する人でも操作することができ、映写スクリーン４の高さ調整を簡単容易に行うことができる。
【００１３】
また、この昇降式黒板装置は、きわめてコンパクトな構造のリニアアクチュエータ１６を固定枠体４に取り付ければよいから、装置全体の部品点数が少なく、構造が簡単となって、製作が容易でコストの低廉化を図ることが出来ると共に、部品の摩耗や損傷が少なく、メンテナンスも容易となる。
【００１４】
請求項５に係る発明の黒板装置によれば、バランススプリング機構を利用した黒板駆動手段によって黒板の昇降及び停止操作を行うようにしたから、使用者の手動操作によって手軽に黒板の昇降及び停止操作を行うことができ、映写スクリーンの高さ調整を容易に行うことができる。
【発明を実施するための最良の形態】
【００１５】
以下に本発明の好適な実施形態を図面に基づいて説明すると、図１の(a) は本発明に係る黒板装置の正面図、(b) は側面図であり、図２は図１の(a) のＸ−Ｘ線拡大断面図である。図３は黒板２を昇降駆動する昇降駆動手段３を示す正面図である。この黒板装置は、教室の壁面Ｗに取り付けられた固定枠体１と、この固定枠体１に昇降可能に保持された黒板２と、この黒板２を昇降駆動する昇降駆動手段３と、黒板２の上端部に黒板２の長手方向に移動可能に設置された巻上式映写スクリーン４と、からなる。
【００１６】
黒板２は、図２に示すように、周枠３１とその中間の中桟３２とからなる木製の台枠３３に、例えばベニヤ合板からなる基板３４を接着剤又は釘打ちにより固着し、この基板３４に塗装鋼板又は琺瑯鋼板からなる表面材３５を接着剤で貼り付けることによって形成される。この基板３４とこれに貼り付けられた表面板３５とからなるものを黒板表面材３６という。
【００１７】
しかして、この黒板２は、図２に示すように昇降枠３７に取付金具４４，４５によって一体的に取り付けられ、この昇降枠３７は、昇降駆動手段３を介して固定枠体１に昇降可能に保持される。この昇降枠３７は、図２及び図３に示すように、左右一対の昇降ガイド支柱５，６と、両昇降ガイド支柱５，６の上端部どうし及び下端部どうしを夫々つなぐ上下フレーム３８，３９とからなるもので、左右の両昇降ガイド支柱５，６が固定枠体１の左右両端部に設けてあるガイド孔７，７を貫通して、昇降駆動手段３により昇降駆動されるようになっている。
【００１８】
映写スクリーン４は、図１及び図２に示すように、シート状のスクリーン本体４０をロール状に巻き取ったり、引き出したりするための巻取軸４１をスクリーンケース４２内に軸支してなる巻上式のスクリーンであって、スクリーンケース４２を、黒板２の上端部に沿って設けたガイドレール４３に移動可能に支持し、このスクリーンケース４２にブラケット４６を取り付けると共に、このブラケット４６には夫々ガイド輪４７を取り付けた複数の支軸４８を取り付け、これらのガイド輪４７を黒板２上端部のガイドレール４３に嵌め込むことによって、黒板２の長手方向に沿って移動可能としたものである。
【００１９】
尚、図示は省略するが、巻取軸４１は、巻取バネによってスクリーン本体４０を巻き取る方向に付勢された状態でスクリーンケース４２に軸支されていて、スクリーン本体４０の引き出し時には巻取バネの付勢力に抗してスクリーン本体４０を下方へ引っ張り出せばよく、しかしてスクリーン本体４０は引き出した位置でストッパーによって適宜に保持されるようになっている。
【００２０】
上記スクリーン本体４０の下端部には丸棒体５０が設けられ、この丸棒体５０の中央部には、ロール状に巻かれたスクリーン本体４０を巻取軸４１から引き出すための把手５１が取り付けてある。また上記ガイドレール４３は、図２に示すように、黒板２の周枠３１に取り付けてあるアルミ製縁枠４９の上辺部に固定金具５２によって固定させてある。図２において５３はアルミ製の粉受けである。
【００２１】
次に、黒板２を昇降駆動する昇降駆動手段３について図３を参照しながら説明する。
【００２２】
固定枠体１の中央部には、黒板２の面と直交する回転軸８が軸受（図示せず）によって正逆回転可能に支持された状態に設けられ、この回転軸８に、第１ドラム９と第２ドラム１０とが、同軸上に近接した状態で一体回転可能に固定されている。第１ドラム９の外周面にはその点対称位置に一対の第１索体１１，１２の夫々の一端部１１ａ，１２ａが止着されて、当該一端部１１ａ，１２ａ側が第１ドラム９の外周面に互いに同じ方向に巻き付けられるようになっており、その他端部１１ｂ，１２ｂは、固定枠体４の左右両端部に軸支されたガイドプーリ１３，１４を経由して下方へ延出され、夫々黒板２と一体を成す昇降枠３７の下フレーム３９に固定されている。
【００２３】
第２ドラム１０の外周には第２索体１５の一端部１５ａが止着されて、当該一端部１５ａ側が第２ドラム１０の外周に対し第１索体１１，１２とは逆方向に巻き付けられるようになっており、その他端部１５ｂは、固定枠体４の右側端部に設けられたガイドプーリ１９を経由し、同じく固定枠体４に設けられたリニアアクチュエータ１６の出力軸１７に連結部材１８を介して連動連結されている。
【００２４】
リニアアクチュエータ１６は、本体部２０と、この本体部２０から延出した基筒部２１と、この基筒部２１に同心状に設けられた出力軸１７とからなるもので、本体部２０内に設けられた電動モーターによって駆動される駆動機構（図示省略）によって、出力軸１７に軸方向所定ストロークの機械的な直線運動を行わせ、この出力軸１７の直線運動により第２索体１５、第２ドラム１０、第１ドラム９及び第１索体１１，１２を介して黒板２を昇降させ、また出力軸１７の停止動作によって黒板２を任意高さ位置で停止させるようにしている。
【００２５】
しかして、このリニアアクチュエータ１６は、黒板２の重量と、出力軸１７の推力及び保持力の関係をバランスさせて選択されるもので、出力軸１７のストローク長さ、第１索体１１，１２及び第２索体１５の長さ、及び黒板２の昇降距離とを適宜に設定した上で、当該アクチュエータ１６の本体部２０及び基筒部２１が固定枠体４に固定されるようになっている。
【００２６】
第１ドラム９の外周面に取り付けられる第１索体１１，１２はワイヤーからなり、第２ドラム１０はスプロケットからなり、そしてこのスプロケットからなる第２ドラム１０の外周に取り付けられる第２索体１５はチェーンからなる。
【００２７】
リニアアクチュエータ１６のモーター（図示せず）は、接続コード２２により黒板昇降操作用のコントローラー２３を介して電源２４に接続されている。このコントローラー２３には黒板上昇用の押し釦スイッチａと黒板下降用の押し釦スイッチｂが設けてあって、何れかの押し釦スイッチａ又はｂを押すと、それを押している間、リニアアクチュエータ１６の出力軸１７が収縮方向又は伸張方向に移動して、黒板２が上昇し又は下降し、その押し釦スイッチａ又はｂから手を放すと、出力軸１７が停止して、黒板２の上昇動作又は下降動作が停止し、黒板２は任意の高さ位置で停止する。尚、出力軸１７は、その収縮限位置及び伸張限位置では自動的に停止し、それにより黒板２は上昇限位置及び下降限位置で停止することになる。また、この場合、コントローラー２３を無線式に接続して、押し釦スイッチａ，ｂでリモートコントロールするようにしてもよい。
【００２８】
図１及び図３は黒板２が上下方向中間高さ位置に停止している状態を示す。この状態において、図２に示すリニアアクチュエータ１６の出力軸１７は、基筒部２１に対し伸張限位置と収縮限位置との中間位置にある。しかして、いま、コントローラー２３の黒板下降用押し釦スイッチｂを押すことにより、リニアアクチュエータ１６の出力軸１７が図３の実線図示位置から右方向へ伸張作動するものとすれば、この出力軸１７の伸張方向の推力によって第２索体１５が緩む状態となるから、黒板２の自重により第１索体１１，１２に作用している張力によって第２ドラム１０が第１ドラム９と共に反時計方向に回転し、それにより第１索体１１，１２が第１ドラム９から巻き戻される状態となって、黒板２は図３の実線で示す中間高さ位置から下降する。そして、黒板２の下降途上で押し釦スイッチｂから手を放すと、出力軸１７の伸張作動が停止して、この出力軸１７に保持力が作用するから、この保持力と黒板２の自重とがバランスして、黒板２は任意の下降位置で停止する。
【００２９】
また、例えば、黒板２が図３に示す中間高さ位置にある状態から黒板上昇用の押し釦スイッチａを押すと、出力軸１７が図３の実線図示位置から左方向へ収縮作動し、この出力軸１７の収縮方向の推力により第２索体１５が引っ張られて、第２ドラム１０が第１ドラム９と共に時計方向に回転し、それにより第１索体１１，１２が第１ドラム９に巻き取られる状態となって黒板２は上昇する。その上昇途上で押し釦スイッチａから手を放すと、出力軸１７の収縮作動が停止して、この出力軸１７に保持力が作用するから、この保持力と黒板２の自重とがバランスして、黒板２は任意の上昇位置で停止する。
【００３０】
上記リニアアクチュエータ１６は、出力軸１７が本体部２０から延出した基筒部２１に対する伸縮作動時に、この出力軸１７が若干回転運動をすることがあるので、出力軸１７と、これに連結される第２索体１５の端部１５ｂとがそのまま固定的に連結されていると、第２索体１５が捩じれて不具合を生じることになるが、この第２索体１５の端部１５ｂは、出力軸１７が回転する運動を第２索体１５に伝えない連結部材１８を介して出力軸１７に連結されているために、捩じれることがなく、不具合を生じることがない。
【００３１】
上記のように構成の昇降駆動手段３によって昇降駆動可能な黒板２の上端部に設置した巻上式映写スクリーン４は、使用しない時はスクリーン本体４０を巻取軸４１に巻き取って巻き上げた状態としておき、しかして使用に際しては、スクリーンケース４２を黒板２上端部のガイドレール４３に沿って左右方向に所要位置まで適宜に移動させ、その位置でスクリーン本体４０を下端部の把手５１でもって引き降ろせばよい。それから、上述した昇降駆動手段３を操作して黒板２を昇降させることによって、映写スクリーン４の高さを所望の位置に自在に設定することができる。
【００３２】
以上説明した本発明に係る黒板装置は、黒板２の上端部に巻上式の映写スクリーン４を黒板２長手方向に移動可能に設置しているから、映写スクリーン４を使用しない時には、スクリーン本体４０を巻き上げておけば、通常の黒板２の使用ができ、そして教室でビデオプロジェクターによりビデオを拡大放映したり、映写機により映画を放映し、あるいはスライド映写機を使用する時は、映写スクリーン４を黒板２の長手方向に移動させることによって、教室の生徒全員が最も見やすい位置にセットすることができる。
【００３３】
また、この巻上式映写スクリーン４は、シート状のスクリーン本体４０をロール状に巻き取った巻取軸４１をスクリーンケース４２内に軸支してなるもので、このスクリーンケース４２を、黒板２の上端部に沿って設けたガイドレール４３に移動可能に支持したものであるから、黒板２の長手方向に簡単容易に移動させることができる共に、スクリーン本体４０の上げ下げを容易に行うことができる。
【００３４】
また、黒板２は固定枠体１に昇降駆動手段３を介して昇降可能に保持されているから、昇降駆動手段３を操作して黒板２を昇降させることで、映写スクリーン４の高さを所望の位置に設定することができる。
【００３５】
そして、この昇降駆動手段３は、前述したように、固定枠体１の中央部に第１ドラム９と第２ドラム１０とを同軸上に一体回転可能に設け、第１ドラム９の外周に一対の第１索体１１，１２の一端部１１ａ，１２ａを止着して互いに同方向に巻き付けるようにし、他端部１１ｂ，１２ｂは固定枠体１の左右両端部に設けたガイドプーリ１３，１４を介して黒板２の下端部に固定し、第２ドラム１０の外周には第２索体１５の一端部１５ａを止着して第１索体１１，１２とは逆方向に巻き付けるようにし、他端部１５ｂは固定枠体１に設けたリニアアクチュエータ１６の出力軸１７に連結し、このリニアアクチュエータ１６の出力軸１７の作動によって黒板１の昇降及び任意高さ位置での停止を行わせるようにしたから、リニアアクチュエータ１６の電動スイッチを操作することが出来れば、操作する人の身長、手の力、手の位置に関係なく、任意の位置で自由に黒板１の昇降及び停止操作を行うことができ、従って車椅子を使用する人でも操作することができ、映写スクリーン４の高さ調整を簡単容易に行うことができる。
【００３６】
図４は、昇降駆動手段３の他の実施形態を示すもので、固定枠体１には、該黒板２の面に直交する回転軸８を設けると共に、この軸８に同心状に円板状第１ドラム９と、カム状第２ドラム１０と、ブレーキドラム６０とを一体的に且つ軸方向に順次ずらして並行に取り付けて、これらの部材を該固定枠体１に対して遊転可能に軸架し、第１ドラム９の外周面の点対称位置に一端部が夫々固着された一対の第１索体１１，１２は左右両端部付近に設けたガイドプーリ１３，１４を経由して下方に延び、夫々の他端部は黒板下フレーム３９に連結されている。従って、第１ドラム９が図中矢印に示すように反時計方向に回転すれば、両第１索体１１，１２は下方に向かって引き出され、黒板上下フレーム３８，３９、従ってこれに取り付けられる黒板２はその自重によって下降することになる。
【００３７】
一方、これら両第１索体１１，１２の巻き掛けとは逆巻きにして前記カム状第２索体１０に一端部を固着した第２索体１５はバランススプリング機構６３に連結される。即ち図中右側上方のガイドプーリ１９を経由して、その他端部はスプリング取付板６１に連結される。この第２索体１５に連結されるスプリング取付板６１と、これに対向する他方のスプリング取付板６２との間に複数個の、図示では３個のバランススプリング６３ａ〜６３ｃが夫々並行して取り付けられている。そして他方側のスプリング取付板６２には枠体用索体６４の一端部が固着され、該索体６４の他端部はガイドプーリ６５を経由して固定枠体１の下端部に連結される。そして、黒板２を下降させるに伴って回転する前記円板状第１ドラム９により順次増大する前記バランススプリング６３ａ〜６３ｃの付勢力による前記カム状第２ドラム１０の回転トルクが、黒板２の重量による前記円板状第１ドラム９の回転トルクと常に一致するように、前記カム状第２ドラム１０のカム面を半径方向で順次小さくなるように形成し、以って黒板２をその重力に抗するバランススプリング６３ａ〜６３ｃの付勢力によって吊り下げ保持して力学的平衡を得て、上下任意の位置に停止可能とすると共に、その停止位置で前述のブレーキ手段によって規制され、その停止状態が維持されるようになっている。
【００３８】
即ち、前記第２索体１５側のスプリング取付板６１と前記枠体用索体６４側のスプリング取付板６２とにわたって夫々に取り付けられる複数個の、図示では３個のバランススプリング６３ａ〜６３ｃの合計の付勢力は、黒板２の重量と力学的平衡を得る付勢力に調整されているのである。
【００３９】
そして、前記ブレーキドラム６０にはその外周にブレーキバンド６６が取り付けられ、その一端部にブレーキばね６７とブレーキ解除テコ６８が取り付けられ、該ブレーキ解除テコ６８はプッシュプル操作紐６９にその一端部が固着され、該操作紐６９の他端部は黒板２の下端部に沿って取り付けられているブレーキ解除レバー７０に連結されている。
【００４０】
従って常時はブレーキばね６７の付勢力によるブレーキバンド６６の摩擦力によって円板状第１ドラム９の回転が規制されて黒板２の上下動が規制されると共に、ブレーキ解除レバー７０の解除操作によって操作紐６９を介して伝達されるブレーキ解除テコ６８が軸７１を中心にブレーキばね６７の付勢力に抗する方向にブレーキバンド６６を弛緩移動させ、これによってブレーキを解除して円板状第1 ドラム９の回転を自由にして、これに連動する黒板２はバランススプリング６３ａ〜６３ｃによる力学的平衡を保って固定枠体１のガイド孔７，７を挿通する昇降ガイド支柱５，６に案内されて軽く上下動することができる。
【００４１】
このようにバランススプリング機構６４を利用した昇降駆動手段６３によっても黒板２の昇降及び停止操作を行うことができ、映写スクリーンの高さ調整を簡単容易に行うことができる。
【００４２】
以上説明した実施形態では、固定枠体１に昇降駆動手段３を介して昇降可能に保持した黒板２に映写スクリーン４を設置した場合について説明したが、本発明に係る映写スクリーン４は、昇降しない固定式黒板２の上端部にその長手方向移動可能に設置してもよい。また、映写スクリーン４は巻上式スクリーンであれば、どのような構造のものでもよい。また、この映写スクリーン４は、新設の教室の黒板２にはもとより、既設の教室の黒板２にも設置することができる。
【図面の簡単な説明】
【００４３】
【図１】(a) は本発明に係る黒板装置の正面図、(b) は側面図である。
【図２】図１の(a) のＸ−Ｘ線拡大断面図である。
【図３】黒板を昇降駆動するための昇降駆動手段を示す正面図である。
【図４】黒板を昇降駆動するための昇降駆動手段の他の実施形態を示す正面図である。
【符号の説明】
【００４４】
１                固定枠体
２                黒板
３                昇降駆動手段
４                映写スクリーン
５，６            昇降ガイド支柱
８                回転軸
９                第１ドラム
１０              第２ドラム
１１，１２        第１索体
１１ａ，１２ａ    第１索体の一端部
１１ｂ，１２ｂ    第１索体の他端部
１３，１４        ガイドプーリ
１５              第２索体
１５ａ            第２索体１５の一端部
１５ｂ            第２索体１５の他端部
１６              リニアアクチュエータ
１７              出力軸
１８              連結部材
４０              スクリーン本体
４１              巻取軸
４２              スクリーンケース
４３              ガイドレール
【図１】
2006192610.tif 000003
【図２】
2006192610.tif 000004
【図３】
2006192610.tif 000005
【図４】
2006192610.tif 000006